(57)【要約】【課題】係止体の連結構造を改善することにより、広告面の角度を自由に設定可能、取り付け取り外し高さの位置調整が容易で、安価なポスターハンガーを提供する。【解決手段】吊り下げ具２と支持具３と連結棒５とを備える係止体及び横長クリップ４よりなるポスターハンガーＡにおいて、前記吊り下げ具２は、丸棒状物品６を把持するための把持部２１と凹テーパ状の嵌合部を有する下端部２３を備えた第１の棒部２２とよりなり、前記支持具３は、前記横長クリップ４の挿嵌溝４１に挿嵌するための挿嵌部３１と凸テーパ状の嵌合部を有する上端部３３を備えた第２の棒部３２とよりなり、前記連結棒５は、凸テーパ状の嵌合部を有する上端部５３と凹テーパ状の嵌合部を有する下端部５１を備え、前記第１の棒部２２の下端部２３と前記連結棒５の上端部５３及び前記連結棒５の下端部５１と前記第２の棒部３２の上端部３３を相互に嵌め合って接合したことを特徴とする。【選択図】図１
0003118325.tif 000002
【実用新案登録請求の範囲】
【請求項１】
吊り下げ具と支持具と連結棒とを備える係止体及び横長クリップよりなるポスターハンガーであって、
前記吊り下げ具は、丸棒状物品を把持するための把持部と凹テーパ状の嵌合部を有する下端部を備えた第１の棒部とよりなり、
前記支持具は、前記横長クリップの挿嵌溝に挿嵌するための挿嵌部と凸テーパ状の嵌合部を有する上端部を備えた第２の棒部とよりなり、
前記連結棒は、凸テーパ状の嵌合部を有する上端部と凹テーパ状の嵌合部を有する下端部を備え、
前記第１の棒部の下端部と前記連結棒の上端部及び前記連結棒の下端部と前記第２の棒部の上端部を相互に嵌め合って接合したことを特徴とするポスターハンガー。
【考案の詳細な説明】
【技術分野】
【０００１】
本考案は、ポスター等広告物のハンガーに関するものである。
【背景技術】
【０００２】
ポスター等広告物を天井から吊るす手段として、天井に直接画鋲で貼り付けたり、接着又はピン止めしたフック付き金具を利用する等の簡単な方法があり、実用上はそれで充分であった。  
【０００３】
しかし、これらの吊り下げ法では、画鋲、金具類を取り外したあとが見苦しくなるばかりでなく、ポスター等広告物の位置を移動することが容易でないという欠点があった。
【０００４】
そこで、ポスター等広告物をクリップで挟み、そのクリップを、係止部を介して、天井に設置されている照明灯に吊るす方法が提案されている（実開平７−３９０８３号）。しかし、公報によれば、クリップを係止部に連結するために係止部の下部を３角形、４角形、８角形にし、その面に、それぞれ突起を設け、クリップのガイド溝に密着する方法がとられている。又、係止部の長さの調節にネジを利用することが記載されている。しかし、何れも製作面でコストがかかり、生産性の面では問題があった。
【特許文献１】実開平７−３９０８３号公報
【考案の開示】
【考案が解決しようとする課題】
【０００５】
解決しようとする問題点は、係止体の連結構造を改善することにより、広告面の角度を自由に設定可能、取り付け取り外しが容易であり、又、高さの位置調整が容易で、且つ製作コストのかからないポスターハンガーを提供する。
【課題を解決するための手段】
【０００６】
本考案のポスターハンガーは、吊り下げ具と支持具と連結棒とを備える係止体及び横長クリップで構成し、
前記吊り下げ具は、丸棒状物品を把持するための把持部と凹テーパ状の嵌合部を有する下端部を備えた第１の棒部とよりなり、
前記支持具は、前記横長クリップに挿嵌するための挿嵌部と凸テーパ状の嵌合部を有する上端部を備えた第２の棒部とよりなり、
前記連結棒は、凸テーパ状の嵌合部を有する上端部と凹テーパ状の嵌合部を有する下端部を備え、
前記第１の棒部の下端部と前記連結棒の上端部及び前記連結棒の下端部と前記第２の棒部の上端部を相互に嵌め合って接合したことを特徴とする。
【考案の効果】
【０００７】
本考案のポスターハンガーは、係止体の吊り下げ具と支持具と連結棒とを単純な挿嵌設計にしたので、吊り下げ具と支持具と連結棒とは、緊密な結合効果があるばかりでなく、吊り下げ具と連結棒及び連結棒と支持具を角度自在に嵌め合って接合出来るので、広告面の角度を自由に設定することが容易であり、取り付け取り外しが容易である。又、連結棒を利用することによって、単に高さの調整をすることが出来るばかりでなく、連結棒を付加することにより、ポスターと展示商品が接近するので、展示商品に対する促販効果も得られる。丸棒状物品が、照明灯の場合、連結棒を付加することにより、ポスターの位置が下がるので、部屋全体が明るくなり、又、ポスターによって投影される影が減少するので、商品に対する展示効果もあがる。何れも加工、組み立てが簡単でコストを著しく削減することが出来るなどの利点がある。
【考案を実施するための最良の形態】
【０００８】
本考案は、天井に設置された、丸棒状物品に吊り下げるポスターハンガーであって、吊り下げ具と支持具と連結棒とよりなる係止体及び横長クリップよりなる。
吊り下げ具は、把持部と第１の棒部とよりなり、把持部は丸棒状物品を把持するための形状を有し、第１の棒部の下端部は凹テーパ状の嵌合部を形成する。
支持具は、挿嵌部と第２の棒部とよりなり、挿嵌部は横長クリップに挿嵌するための形状を有し、第２の棒部の上端部は凸テーパ状の嵌合部を形成する。
連結棒は、上端部に凸テーパ状の嵌合部を有し、下端部に凹テーパ状の嵌合部を有する。本考案のポスターハンガーは、第１の棒部の下端部と連結棒の上端部及び連結棒の下端部と第２の棒部の上端部を相互に嵌め合って接合してなる。
【実施例１】
【０００９】
図１は、本考案の実施例によるポスターハンガーＡの正面図であり、ポスターハンガーＡにポスター１をセットして丸棒状物品６から吊り下げた状態を示す。図２は、図１の左側面図であり、図３は、図２のＢ部拡大断面図であり、図４は、図２のＣ部拡大断面図である。本明細書に記載の数値は、概略値である。各棒部の端部に形成されているテーパ状の嵌合部におけるテーパ角度は、標準寸法に従って加工されているものとする。
【００１０】
本考案のポスターハンガーＡは、吊り下げ具２と支持具３と連結棒５とを備えた係止体及び横長クリップ４よりなる。使用される素材は、何れもポリカーボネート樹脂である。吊り下げ具２は、把持部２１と第１の棒部２２とよりなり、一体成形されている。支持具３は、挿嵌部３１と第２の棒部３２とよりなり、一体成形されている。連結棒５は、凸テーパ５４状に加工された上端部５３と凹テーパ５２状に加工された下端部５１とを有する。
【００１１】
吊り下げ具２の把持部２１は、上向きＣ字状をなし、先端には、突起物２５を有する。ポスターハンガーＡは、把持部２１を、素材の弾力を利用して、下方より押し広げながら押し上げることにより、丸棒状物品６に装着される。把持部２１の内径は、丸棒状物品６よりやや大きいが、装着後は、突起物２５によって、把持され、落下することはない。ポスターハンガーＡの総重量は、ポスターを含めて大凡８０グラムであるが、それに較べて、把持力は、充分であることが確かめられている。丸棒状物品６は、天井に設置されている照明灯も一例であるが、両壁に亘って設置されている場合もある。
【００１２】
吊り下げ具２の第１の棒部２２は、太さは、６mm、長さは、１９cmであり、下端部２３の凹テーパ２４の寸法は、直径３mm、深さ１０mmである。図２では、連結棒５を1本のみ連結している状態を示しているが、棒部全体の長さが不充分な場合には、２本目の連結棒５を使用する。
【００１３】
支持具３の第２の棒部３２は、太さは、６mm、長さは、２．５cmであり、下端部２３の凸テーパ３４の寸法は、直径３mm、長さ９mmである。挿嵌部３１は、一辺１０mmの４角形で、厚さは３mmであって、第２の棒部３２の下部に一体成形されている。
【００１４】
横長クリップ４は、長さ４０cm、幅３０mmである。横長クリップ４は、上部に、挿嵌溝４１、下部に、ポスタークリップ部４２を有し、横長クリップ４の幅方向左右を中仕切４３で接続した構造である。挿嵌溝４１の内法寸法は、挿嵌部３１の一辺の長さより小さめに製作されている。挿嵌溝４１の中を、強めの力で、挿嵌部３１を摺動して、横長クリップ４の長手方向のほぼ中央位置に設定する。
【００１５】
連結棒５の、太さは、６mm、長さは、１９cmであり、下端部に凹テーパ５２と上端部に凸テーパ５４を有する。凹テーパ５２の寸法は、直径３mm、深さ１０mmであり、凸テーパ５４の寸法は、直径３mm、長さ９mmである。連結棒５は、長さ調整の手段として使用するが、第１の棒部２２と第２の棒部３２と接続して充分な長さが確保出来れば、連結棒５は不用である。又、連結棒５の長さの異なるものを、複数用意すれば、ポスターの床上高さの位置調整は、連結棒５を交換するだけでよい。連結棒５を付加することにより、ポスターと展示商品が接近するので、展示商品に対する促販効果も得られる。丸棒状物品６が、照明灯の場合、連結棒５を付加することにより、ポスターの位置が下がるので、部屋全体が明るくなり、又、ポスターによって投影される影が減少するので、商品に対する展示効果もあがる。連結棒５の製作費は、安価であるので、ポスターの高さの位置調整を安価で実現するという課題の一つを達成する。  
【００１６】
本考案のポスターハンガーＡは、吊り下げ具２の第１の棒部２２の下端部２３と連結棒５の上端部５３及び連結棒５の下端部５１と支持具３の第２の棒部３２の上端部３３を相互に嵌め合って接合してなる。各接合部は、凹凸テーパ形状を備えたので、緊密な結合効果がある上、取り付け取り外しが容易であるばかりでなく、嵌め合い時の軸の相関角度は、自由に設定出来、従って、ポスター１と丸棒状物品６との角度は自由に設定出来るという課題の一つを達成する。  
【図面の簡単な説明】
【００１７】
【図１】本考案の実施例によるポスターハンガーの正面図である。
【図２】図１の左側面図である。
【図３】図２のＢ部拡大断面図である。
【図４】図２のＣ部拡大断面図である。
【符号の説明】
【００１８】
Ａ  ポスターハンガー
１  ポスター
２  吊り下げ具
２１  把持部
２２  第１の棒部
２３  下端部
２４  凹テーパ
２５  突起物
３  支持具
３１  挿嵌部
３２  第２の棒部
３３  上端部
３４  凸テーパ
４  横長クリップ
４１  挿嵌溝
４２  ポスタークリップ部
４３  中仕切
５  連結棒
５１  下端部
５２  凹テーパ
５３  上端部
５４  凸テーパ
６  丸棒状物品  
【図１】
0003118325.tif 000003
【図２】
0003118325.tif 000004
【図３】
0003118325.tif 000005
【図４】
0003118325.tif 000006